(57)【特許請求の範囲】
【請求項１】
駆動状態で表示した表示情報を非駆動状態で保持可能な表示部と該表示部に表示するための表示情報を記憶する記憶部とを備える表示装置の表示部に表示情報を表示する表示方法であって、
前記表示部を駆動状態にして表示情報を表示させた後、前記表示部を非駆動状態にして表示情報を保持させる表示ステップと、
前記表示部の温度を検出する温度検出ステップと、
前記温度検出ステップで検出された温度に基づいて温度勾配を算出する算出ステップと、
前記算出ステップで算出された温度勾配が予め定める温度勾配を超えたか否かを判断する判断ステップと、
前記判断ステップで、前記算出ステップで算出された温度勾配が予め定める温度勾配を超えたと判断された後、前記算出ステップで算出された温度勾配が前記予め定める温度勾配以下になったか否かを判断する第２の判断ステップと、
前記判断ステップで、前記算出ステップで算出された温度勾配が予め定める温度勾配を超えたと判断された後、前記第２の判断ステップで、前記算出ステップで算出された温度勾配が前記予め定める温度勾配以下になったと判断されたとき、前記表示ステップで表示部に表示させた表示情報と同じ表示情報を前記記憶部から読み出し、読み出した表示情報を前記表示部に再表示する再表示ステップとを含むことを特徴とする表示方法。
【請求項２】
表示情報を記憶する記憶手段と、
駆動状態で表示した表示情報を非駆動状態で保持可能な表示手段と、
前記表示手段の温度を検出する温度検出手段と、
前記温度検出手段によって検出された温度に基づいて温度勾配を算出する算出手段と、
前記算出手段によって算出された温度勾配が予め定める温度勾配を超えたか否かを判断し、該温度勾配が予め定める温度勾配を超えたと判断した後、前記算出手段で算出された温度勾配が前記予め定める温度勾配以下になった否かを判断する判断手段と、
前記記憶手段に記憶される表示情報を読み出し、読み出した表示情報を、前記表示手段を駆動状態にして表示させ、そして、前記表示手段を非駆動状態にして表示情報を保持させた後、前記判断手段によって、前記算出手段によって算出された温度勾配が予め定める温度勾配を超えたと判断された後、前記算出手段で算出された温度勾配が前記予め定める温度勾配以下になったと判断されたとき、前記表示手段に表示させた表示情報と同じ表示情報を、前記記憶手段から読み出し、読み出した表示情報を前記表示手段に再表示させる制御手段とを含むことを特徴とする表示装置。
【発明の詳細な説明】
【技術分野】
【０００１】
本発明は、メモリ性を有するディスプレイに商品情報などの表示情報を表示する表示方法および表示装置に関する。
【背景技術】
【０００２】
電子棚札システムでは、棚札サーバは、店舗のバックヤード等に設置されており、中継器であるベースステーションと、商品情報、売上情報および発注情報などを管理する店舗サーバと、そして買い物客の販売処理を行うＰＯＳ（Point Of Sales）端末とが、ＬＡＮ（Local Area Network）によって接続されている。棚札サーバは、店舗サーバから商品に関する情報、たとえば品名、商品コード、販売価格、単価および特価情報などの情報を取得し、取得した情報に基づいて電子棚札に表示する表示情報を作成し、作成した表示情報をベースステーションおよびトランシーバを介して電子棚札に送信する。
【０００３】
ベースステーションは、棚札サーバとトランシーバと間のデータの送受信を制御する機能と、トランシーバとして電子棚札と通信を行う機能とを併せ持っている。トランシーバは、電子棚札とデータを送受信する機能を有する。電子棚札は、トランシーバからのコマンドおよびデータを受信して、商品についての表示情報を表示する。
【０００４】
電子棚札などの表示装置は、メモリ性を有する液晶表示素子、たとえばコレステリック液晶を用いている。コレステリック液晶は、相転移による２つの異なる分子配向を利用して表示を行うデバイスであり、電力の供給を停止しても情報を表示している状態を維持することができる。コレステリック液晶の液晶分子は、らせん形状を有しており、このらせん形状によって選択反射、すなわち特定の波長の光を反射する。らせん軸の状態には、プレーナ状態とフォーカルコニック状態とがある。プレーナ状態は、らせん軸が表示面方向に向いる状態であり、特定の波長の光を反射する。フォーカルコニック状態は、電圧を印可して、らせん軸を表示面に対し横たえる方向に向かせた状態であり、光はセルを透過する。
【０００５】
コレステリック液晶は、電圧の印可を停止しても、らせん軸の状態が保持される。しかしながら、コレステリック液晶は、急激な温度変化などによって、液晶の構成層の熱膨張率の差による歪み応力が発生し、液晶の分子配列が乱れ、すなわち液晶のらせん軸の保持が乱れ、表示むらが発生することがある。発生した表示むらを解消するには、再描画を行う必要がある。
【０００６】
特許文献１に記載される情報表示装置は、計時タイマによって計時される一定時間間隔ごと、もしくは所定の時刻に、または温度センサによって検出された温度が所定値を超えると、画像データを書き換えることによって、表示むらの発生を防止するものである。
【０００７】
【特許文献１】特開２０００−１４７４６５号公報
【発明の開示】
【発明が解決しようとする課題】
【０００８】
しかしながら、上述した従来の技術による情報表示装置は、温度センサによって検出された温度が所定値を超えたときに、データを書き換えるものであるが、表示むらが、高温の環境で発生するのではなく、温度変化によって発生する場合、表示むらを防止することができないという問題がある。さらに、この情報表示装置は、定期的にデータを書き換えるが、定期的に電力を消費するので、主に電池で駆動する電子棚札では、電池交換の頻度が増加し、使用者の負担が増加するという問題がある。
【０００９】
本発明の目的は、メモリ性を有するディスプレイの表示むらの発生を防止することができる表示方法および表示装置を提供することである。
【課題を解決するための手段】
【００１０】
本発明は、駆動状態で表示した表示情報を非駆動状態で保持可能な表示部と該表示部に表示するための表示情報を記憶する記憶部とを備える表示装置の表示部に表示情報を表示する表示方法であって、
前記表示部を駆動状態にして表示情報を表示させた後、前記表示部を非駆動状態にして表示情報を保持させる表示ステップと、
前記表示部の温度を検出する温度検出ステップと、
前記温度検出ステップで検出された温度に基づいて温度勾配を算出する算出ステップと、
前記算出ステップで算出された温度勾配が予め定める温度勾配を超えたか否かを判断する判断ステップと、
前記判断ステップで、前記算出ステップで算出された温度勾配が予め定める温度勾配を超えたと判断された後、前記算出ステップで算出された温度勾配が前記予め定める温度勾配以下になったか否かを判断する第２の判断ステップと、
前記判断ステップで、前記算出ステップで算出された温度勾配が予め定める温度勾配を超えたと判断された後、前記第２の判断ステップで、前記算出ステップで算出された温度勾配が前記予め定める温度勾配以下になったと判断されたとき、前記表示ステップで表示部に表示させた表示情報と同じ表示情報を前記記憶部から読み出し、読み出した表示情報を前記表示部に再表示する再表示ステップとを含むことを特徴とする表示方法である。
【００１１】
また本発明は、表示情報を記憶する記憶手段と、
駆動状態で表示した表示情報を非駆動状態で保持可能な表示手段と、
前記表示手段の温度を検出する温度検出手段と、
前記温度検出手段によって検出された温度に基づいて温度勾配を算出する算出手段と、
前記算出手段によって算出された温度勾配が予め定める温度勾配を超えたか否かを判断し、該温度勾配が予め定める温度勾配を超えたと判断した後、前記算出手段で算出された温度勾配が前記予め定める温度勾配以下になった否かを判断する判断手段と、
前記記憶手段に記憶される表示情報を読み出し、読み出した表示情報を、前記表示手段を駆動状態にして表示させ、そして、前記表示手段を非駆動状態にして表示情報を保持させた後、前記判断手段によって、前記算出手段によって算出された温度勾配が予め定める温度勾配を超えたと判断された後、前記算出手段で算出された温度勾配が前記予め定める温度勾配以下になったと判断されたとき、前記表示手段に表示させた表示情報と同じ表示情報を、前記記憶手段から読み出し、読み出した表示情報を前記表示手段に再表示させる制御手段とを含むことを特徴とする表示装置である。
【発明の効果】
【００１３】
本発明によれば、駆動状態で表示した表示情報を非駆動状態で保持可能な表示部を備える表示装置の表示部に表示情報を表示するにあたって、表示ステップでは、前記表示部を駆動状態にして表示情報を表示させた後、前記表示部を非駆動状態にして表示情報を保持させる。温度検出ステップでは、前記表示部の温度を検出する。算出ステップでは、前記温度検出ステップで検出された温度に基づいて温度勾配を算出する。判断ステップでは、前記算出ステップで算出された温度勾配が予め定める温度勾配を超えたか否かを判断する。第２の判断ステップでは、前記判断ステップで、前記算出ステップで算出された温度勾配が予め定める温度勾配を超えたと判断された後、前記算出ステップで算出された温度勾配が前記予め定める温度勾配以下になったか否かを判断する。そして、再表示ステップでは、前記判断ステップで、前記算出ステップで算出された温度勾配が予め定める温度勾配を超えたと判断された後、前記第２の判断ステップで、前記算出ステップで算出された温度勾配が前記予め定める温度勾配以下になったと判断されたとき、前記表示ステップで表示部に表示させた表示情報と同じ表示情報を前記記憶部から読み出し、読み出した表示情報を前記表示部に再表示する。
【００１４】
したがって、本発明に係る表示方法を適用すれば、メモリ性を有するディスプレイの表示むらの発生を防止することができる。温度勾配が予め定める温度勾配を超えたと判断された後、温度勾配が予め定める温度勾配以下になったと判断されたときに、表示している描画情報と同じ描画情報を表示部に再表示する。つまり、温度変化が安定してから、描画情報の再表示を行うので、不要な書き換えをなくすことができ、電池寿命を最大限まで延ばすことができる。したがって、表示装置の使用者は、表示むらの有無を点検する必要がなくなり、さらに、電池の交換回数を減らすことができるので、使用者の負担を軽減することができる。
【００１５】
また本発明によれば、記憶手段によって、表示情報が記憶され、表示手段によって、駆動状態で表示された表示情報が非駆動状態で保持され、温度検出手段によって、前記表示手段の温度が検出され、算出手段によって、前記温度検出手段によって検出された温度に基づいて温度勾配が算出され、判断手段によって、前記算出手段によって算出された温度勾配が予め定める温度勾配を超えたか否かを判断し、該温度勾配が予め定める温度勾配を超えたと判断した後、前記算出手段で算出された温度勾配が前記予め定める温度勾配以下になったか否かが判断される。
【００１６】
そして、制御手段によって、前記記憶手段に記憶される表示情報が読み出され、読み出された表示情報を、前記表示手段を駆動状態にして表示させ、そして、前記表示手段を非駆動状態にして表示情報を保持させた後、前記判断手段によって、前記算出手段によって算出された温度勾配が予め定める温度勾配を超えたと判断された後、前記算出手段で算出された温度勾配が前記予め定める温度勾配以下になったと判断されたとき、前記表示手段に表示させた表示情報と同じ表示情報が、前記記憶手段から読み出され、読み出された表示情報が前記表示手段に再表示される。
【００１７】
したがって、メモリ性を有するディスプレイの表示むらの発生を防止することができる。温度勾配が予め定める温度勾配を超えたと判断された後、温度勾配が予め定める温度勾配以下になったと判断されたときに、表示している描画情報と同じ描画情報を表示部に再表示する。つまり、温度変化が安定してから、描画情報の再表示を行うので、不要な書き換えをなくすことができ、電池寿命を最大限まで延ばすことができる。したがって、表示装置の使用者は、表示むらの有無を点検する必要がなくなり、さらに、電池の交換回数を減らすことができるので、使用者の負担を軽減することができる。
【発明を実施するための最良の形態】
【００２１】
図１は、本発明の実施の一形態である電子棚札１の構成を示すブロック図である。本発明に係る表示方法は、電子棚札１で実行される。表示装置である電子棚札１は、コントロール集積回路（Integrated Circuit；以下「ＩＣ」という）１１、バッテリ１２、液晶ディスプレイ（Liquid Crystal Display；以下「ＬＣＤ」という）電源回路１３、温度センサ１４、アンテナ１５、コレステリック液晶（以下「コレステリックＬＣＤ」という）１６、ＣＯＭＭＯＮドライバ１７およびＳＥＧＭＥＮＴドライバ１８を含んで構成される。
【００２２】
コントロールＩＣ１１は、中央処理装置（Central Processing Unit；以下「ＣＰＵ」という）１１１、ＲＯＭ（Read Only Memory）１１２、ＲＡＭ（Random Access Memory）１１３、ＲＴＣ（Real Time Clock）１１４、アナログデジタル変換器（Analog Digital
Converter；以下「ＡＤＣ」という）１１５、ＲＦ（Radio Frequency）１１６およびＩ／Ｏ（Input/Output）１１７を含んで構成され、たとえばこれらの構成要素からなる１チップのマイクロコンピュータによって構成される。
【００２３】
算出手段、判断手段および制御手段であるＣＰＵ１１１は、ＲＯＭ１１２またはＲＡＭ１１３に記憶される制御プログラムを実行することによって、ＡＤＣ１１５、ＲＦ１１６およびＩ／Ｏ１１７を制御する。ＲＯＭ１１２は、たとえば読み出し専用の不揮発性の半導体メモリによって構成され、ＣＰＵ１１１によって実行される制御プログラムを記憶する。記憶部および記憶手段であるＲＡＭ１１３は、書き込みおよび読み出し可能な半導体メモリによって構成され、ＣＰＵ１１１によって実行される制御プログラム、ならびにＣＰＵ１１１が書き込みおよび読み出しを行う制御情報、たとえば描画情報および温度情報を記憶する。表示情報である描画情報は、電子棚札１が配置される商品に関する情報であり、たとえば商品名および価格などの情報を含む。温度情報は、温度センサ１３によって検出された温度に関する情報である。
【００２４】
ＲＴＣ１１４は、時間を計時するタイマであり、ＣＰＵ１１１は、ＲＴＣ１１４を参照することによって、時間を知ることができる。ＡＤＣ１１５は、温度センサ１４によって検出された温度を表すアナログ信号をデジタル信号に変換して、ＣＰＵ１１１に送るアナログデジタル変換器である。ＡＤＣ１１５は、バッテリ１２から供給される電力を、ＣＰＵ１１１、ＲＯＭ１１２、ＲＡＭ１１３、ＲＴＣ１１４、ＲＦ１１６およびＩ／Ｏ１１７に供給する。
【００２５】
ＲＦ１１６は、アンテナ１５によって、図示しない電子棚札サーバと、情報を送受信する通信装置であり、ＣＰＵ１１１から受け取る情報を電子棚札サーバへ送信し、電子棚札サーバから受け取る情報をＣＰＵ１１に送る。Ｉ／Ｏ１１７は、ＬＣＤ電源回路１３、ＣＯＭＭＯＮドライバ１７およびＳＥＧＭＥＮＴドライバ１８と接続され、ＣＰＵ１１１からの指示に従って、ＬＣＤ電源回路１３、ＣＯＭＭＯＮドライバ１７およびＳＥＧＭＥＮＴドライバ１８を制御する入出力制御装置である。
【００２６】
バッテリ１２は、たとえば出力電圧が３Ｖ（ボルト）のリチューム電池などの直流電池によって構成され、ＡＤＣ１１５およびＬＣＤ電源回路１３に電力を供給する。ＬＣＤ電源回路１３は、バッテリ１２から供給される電圧を、コレステリックＬＣＤ１６を駆動するために必要な電圧、たとえば３７Ｖに昇圧する電圧変換回路である。ＬＣＤ電源回路１３は、Ｉ／Ｏ１１７を介してＣＰＵ１１１から指示されるオン／オフ信号に基づいて、ＣＯＭＭＯＮドライバ１７およびＳＥＧＭＥＮＴドライバ１８に出力する電圧をオン／オフする。温度検出手段である温度センサ１４は、コレステリックＬＣＤ１６の温度、あるいは電子棚札１内の温度を検出する温度センサであり、検出した温度を表すアナログ信号をＡＤＣ１１５に送る。アンテナ１５は、ＲＦ１１６と接続され、図示しない電子棚札サーバとの情報の送受信のために、電波を発信および受信する。
【００２７】
表示部および表示手段であるコレステリックＬＣＤ１６は、メモリ性を有するディスプレイ、たとえばコレステリック液晶を用いるディスプレイである。メモリ性を有するディスプレイは、駆動状態で表示した描画情報を非駆動状態で保持可能なディスプレイであり、たとえば、ディスプレイに印加される電圧がオフになっても、表示している描画情報を保持することができるディスプレイである。コレステリック液晶は、温度変化によって、らせん形状の液晶分子の方向が変化し、表示むらが発生する。表示むらが発生した場合は、再度同じ描画情報を表示することによって表示むらを解消することができる。図１に示した例では、メモリ性を有するディスプレイとして、コレステリック液晶を用いたが、これに限定されるものではなく、たとえば粉末タイプのディスプレイを用いてもよい。
【００２８】
ＣＯＭＭＯＮドライバ１７およびＳＥＧＭＥＮＴドライバ１８は、Ｉ／Ｏ１１７を介してのＣＰＵ１１１からの指示に従って、コレステリックＬＣＤ１６に電圧を印加して駆動するドライバである。ＣＯＭＭＯＮドライバ１７は、コレステリックＬＣＤ１６のマトリクスの横方向を駆動し、ＳＥＧＭＥＮＴドライバ１８コレステリックＬＣＤ１６のマトリクスの縦方向を駆動する。
【００２９】
図２は、コレステリックＬＣＤ１６に表示された描画情報の一例を示す図である。図２には、電子棚札１の外観が示されており、アンテナ１５およびコレステリックＬＣＤ１６が示されている。図２に示したコレステリックＬＣＤ１６の表示画面には、描画情報、具体的には、商品名「天然素材無漂白コーヒー」、価格「１，６８０円」、および商品に関するその他の情報が表示されている。
【００３０】
ＣＰＵ１１１は、図示しない電子棚札サーバからＲＦ１１６を介して受信した描画情報をＲＡＭ１１３に記憶する。そして、Ｉ／Ｏ１１７を介してＬＣＤ電源回路１３にオン信号を送り、ＣＯＭＭＯＮドライバ１７およびＳＥＧＭＥＮＴドライバ１８を駆動して、描画情報をコレステリックＬＣＤ１６に表示した後、Ｉ／Ｏ１１７を介してＬＣＤ電源回路１３にオフ信号を送り、ＣＯＭＭＯＮドライバ１７およびＳＥＧＭＥＮＴドライバ１８による駆動を停止する。コレステリックＬＣＤ１６は、メモリ性を有しているので、表示した描画情報を表示し続ける。
【００３１】
ＣＰＵ１１１は、ＡＤＣ１１５を介して温度センサ１４から知らされる温度を監視し、温度の変化量が予め定める変化量を超えると、表示むらが発生している可能性があるので、ＲＡＭ１１３から描画情報を読み出し、描画情報をコレステリックＬＣＤ１６に再表示する。具体的には、Ｉ／Ｏ１１７を介してＬＣＤ電源回路１３にオン信号を送り、ＣＯＭＭＯＮドライバ１７およびＳＥＧＭＥＮＴドライバ１８を駆動して、読み出した描画情報をコレステリックＬＣＤ１６に表示した後、Ｉ／Ｏ１１７を介してＬＣＤ電源回路１３にオフ信号を送り、ＣＯＭＭＯＮドライバ１７およびＳＥＧＭＥＮＴドライバ１８による駆動を停止する。
【００３２】
図３は、再表示する条件となる温度の変化量の例を示す図である。図３（ａ）は、温度の変化量として温度勾配を用いる例である。温度勾配は、所定時間が経過したときの温度変化を、その所定時間で除算した値によって示される温度の変化率である。ＣＰＵ１１１は、温度勾配が予め定める温度勾配を超えたときに、再表示を行う。図３（ｂ）は、温度の変化量として温度差を用いる例である。温度差は、所定時間の計時を開始するときの温度と、所定時間が経過したときの温度との差である。ＣＰＵ１１１は、温度差が予め定める温度差を超えたときに、再表示を行う。図３（ｃ）は、温度の変化量として温度変化の積算値を用いる例である。温度変化の積算値は、所定時間が経過するごとに、各所定時間での温度差の絶対値を積算した値である。ＣＰＵ１１１は、温度変化の積算値が予め定める積算値を超えたときに、再表示を行う。
【００３３】
このように、前記温度の変化量は、温度勾配であるので、大きな温度変化がなくても急激な変化による表示むらを防止することができる。
【００３４】
さらに、前記温度の変化量は、温度差であるので、温度勾配が低くても、大きな温度変化による表示むらを防止することができる。
【００３５】
さらに、前記温度の変化量は、温度変化の積算量であるので、温度変化の累積による表示むらを防止することができる。
【００３６】
図４は、ＣＰＵ１１１が実行する表示処理を示すフローチャートである。図示しない電子棚札サーバからＲＦ１１６を介して描画情報を受信し、受信した描画情報をＲＡＭ１１３に記憶した後、ステップＡ１に移る。
【００３７】
ステップＡ１では、描画情報の呼び出しを行う。具体的には、ＲＡＭ１１３から描画情報を読み出す。ステップＡ２では、画面を描画する。具体的には、Ｉ／Ｏ１１７を介してＬＣＤ電源回路にオン信号を送り、ＣＯＭＭＯＮドライバ１７およびＳＥＧＭＥＮＴドライバ１８を駆動して、読み出した描画情報をコレステリックＬＣＤ１６に表示した後、Ｉ／Ｏ１１７を介してＬＣＤ電源回路にオフ信号を送り、ＣＯＭＭＯＮドライバ１７およびＳＥＧＭＥＮＴドライバ１８による駆動を停止する。
【００３８】
ステップＡ３では、変数の初期化を行う。具体的には、変数ｎに「０」を代入する。ステップＡ４では、初期の温度を取得する。具体的には、ＡＤＣ１１５を介して温度センサ１４から現在の温度を取得し、初期の温度とする。ステップＡ５では、取得結果を変数αに代入する。変数αは、描画情報を表示した直後の温度であり、温度の変化量を求める基準となる温度である。
【００３９】
ステップＡ６では、所定時間ウェイトする。すなわち所定時間が経過するのを待つ。所定時間は、３０分〜数時間の間で設定される時間であり、たとえば２時間である。ステップＡ７では、変数ｎにデータがあるか否かを判定する。変数ｎの値が「０」でないと、変数ｎにデータがあると判定し、ステップＡ８に進み、変数ｎの値が「０」であると、変数ｎにデータがないと判定し、ステップＡ２１に進む。
【００４０】
ステップＡ８では、現在の温度を取得する。具体的には、ＡＤＣ１１５を介して温度センサ１４から現在の温度を取得する。ステップＡ９では、取得結果を変数ｎ＋１に代入する。ステップＡ１０では、変数ｎ＋１の値から変数ｎの値を減算した値の絶対値を計算する。ステップＡ１１では、計算結果、つまりステップＡ１０で計算した絶対値を変数γに代入する。変数γは、温度勾配を示す変数である。判断ステップであるステップＡ１２では、変数γ、すなわち温度勾配が「５」を超えるか否かを判定する。変数γが「５」を超えると、ステップＡ１６に進み、変数γが「５」を超えないと、ステップＡ１３に進む。温度勾配「５」は、予め定める変化量である。
【００４１】
ステップＡ１３では、書き換え準備状態であるか否かを判定する。書き換え準備状態は、温度変化の積算値が閾値を超えた状態であることを示す。書き換え準備状態は、たとえば書き換え準備状態であることを表す情報をＲＡＭ１１３に記憶しておき、その情報を参照することによって、書き換え準備状態であるか否かを判定することができる。ステップＡ１３では、温度勾配が「５」より小さくなったとき、すなわち温度変化が安定したときに、温度変化の積算値が閾値を超えた状態であるか否かを判定している。書き換え準備状態であると、ステップＡ１４に進み、書き換え準備状態でないと、ステップＡ１７に進む。
【００４２】
ステップＡ１４では、描画情報の呼出しを行う。具体的には、ＲＡＭ１１３から描画情報を読み出す。ステップＡ１５では、画面を再描画して、ステップＡ３に戻る。具体的には、Ｉ／Ｏ１１７を介してＬＣＤ電源回路１３にオン信号を送り、ＣＯＭＭＯＮドライバ１７およびＳＥＧＭＥＮＴドライバ１８を駆動して、読み出した描画情報をコレステリックＬＣＤ１６に表示した後、Ｉ／Ｏ１１７を介してＬＣＤ電源回路１３にオフ信号を送り、ＣＯＭＭＯＮドライバ１７およびＳＥＧＭＥＮＴドライバ１８による駆動を停止して、ステップＡ３に戻る。
【００４３】
ステップＡ１６では、変数γの値を変数βの値に加算する。変数βは、温度変化の積算値を示す変数である。ステップＡ１７では、変数γの値を変数βの値に加算する。変数γ、すなわち温度勾配が「５」を超えている場合は、急激な温度変化が発生しているので、温度変化の積算値として、２倍の重みを持たせている。ステップＡ１８では、変数ｎ＋１の値を変数ｎに代入する。ステップＡ１９では、変数βの値が閾値以上であるか否かを判定する。予め定める変化量である閾値は、ステップＡ４で取得した初期の温度に依存するが、たとえば２０度程度の値である。変数βの値が閾値以上であると、ステップＡ２０に進み、変数βの値が閾値以上でないと、ステップＡ６に戻る。ステップＡ２０では、書き換え準備状態にして、ステップＡ６に戻る。
【００４４】
ステップＡ２１では、現在の温度を取得する。具体的には、ＡＤＣ１１５を介して温度センサ１４から現在の温度を取得する。ステップＡ２２では、取得結果を変数ｎに代入する。ステップＡ２３では、変数ｎの値から変数αの値を減算した値の絶対値を計算する。ステップＡ２４では、計算結果、つまりステップＡ２３で計算した絶対値を変数βに代入して、ステップＡ１９に進む。
【００４５】
ステップＡ１およびＡ２は、表示ステップである。ステップＡ４，Ａ８，Ａ２１は、温度検出ステップである。ステップＡ１０，Ａ１６，Ａ１７，Ａ２３は、算出ステップである。ステップＡ１４およびＡ１５は、再表示ステップである。ステップＡ１２およびＡ１３は、第２の判断ステップである。
【００４６】
このように、駆動状態で表示した表示情報を非駆動状態で保持可能なコレステリックＬＣＤ１６を備える電子棚札１のコレステリックＬＣＤ１６に描画情報を表示するにあたって、図４に示したステップＡ１およびＡ２では、コレステリックＬＣＤ１６を駆動状態にして描画情報を表示させた後、コレステリックＬＣＤ１６を非駆動状態にして描画情報を保持させる。図４に示したステップＡ４，Ａ８，Ａ２１では、コレステリックＬＣＤ１６の温度を検出する。図４に示したステップＡ１０，Ａ１６，Ａ１７，Ａ２３では、図４に示したステップＡ４，Ａ８，Ａ２１で検出された温度に基づいて温度の変化量を算出する。図４に示したステップＡ１２では、図４に示したステップＡ１０，Ａ１６，Ａ１７，Ａ２３で算出された温度の変化量が予め定める変化量を超えたか否かを判断する。そして、図４に示したステップＡ１４およびＡ１５では、図４に示したステップＡ１２で、図４に示したステップＡ１０，Ａ１６，Ａ１７，Ａ２３で算出された温度の変化量が予め定める変化量を超えたと判断されたとき、図４に示したステップＡ１およびＡ２でコレステリックＬＣＤ１６に表示させた描画情報と同じ描画情報をコレステリックＬＣＤ１６に表示する。
【００４７】
したがって、本発明に係る表示方法を適用すれば、メモリ性を有するディスプレイ、たとえばコレステリックＬＣＤ１６の表示むらの発生を防止することができる。温度の変化量が所定の変化量を超え、表示むらが発生している可能性が高い場合のみ、描画情報の再表示を行うので、不要な書き換えをなくすことができ、電池寿命を最大限まで延ばすことができる。したがって、表示装置の使用者は、表示むらの有無を点検する必要がなくなり、さらに、電池の交換回数を減らすことができるので、使用者の負担を軽減することができる。
【００４８】
さらに、電子棚札１は、コレステリックＬＣＤ１６に表示するための描画情報を記憶するＲＡＭ１１３をさらに備え、図４に示したステップＡ１４およびＡ１５では、ＲＡＭ１１３に記憶される描画情報を読み出し、読み出した描画情報をコレステリックＬＣＤ１６に表示するので、電子棚札１単体で表示むらを防止することができ、図示しない電子棚札サーバの負荷を軽減することができる。
【００４９】
さらに、図４に示したステップＡ１２およびＡ１３では、図４に示したステップＡ１２で、図４に示したステップＡ１０，Ａ１６，Ａ１７，Ａ２３で算出された温度の変化量が予め定める変化量を超えたと判断された後、図４に示したステップＡ１０，Ａ１６，Ａ１７，Ａ２３で算出された温度の変化量が前記予め定める変化量以下になったか否かを判断する。そして、図４に示したステップＡ１４およびＡ１５では、図４に示したステップＡ１２で、図４に示したステップＡ１０，Ａ１６，Ａ１７，Ａ２３で算出された温度の変化量が予め定める変化量を超えたと判断された後、図４に示したステップＡ１２およびＡ１３で、図４に示したステップＡ１０，Ａ１６，Ａ１７，Ａ２３で算出された温度の変化量が前記予め定める変化量以下になったと判断されたとき、前記表示している描画情報と同じ描画情報をコレステリックＬＣＤ１６に表示するので、温度変化が安定してから、再表示を行うことができ、表示むらの発生を防止することができる。
【００５０】
さらに、ＲＡＭ１１３によって、描画情報が記憶され、コレステリックＬＣＤ１６によって、駆動状態で表示された描画情報が非駆動状態で保持され、温度センサ１４によって、コレステリックＬＣＤ１６の温度が検出され、ＣＰＵ１１１によって、温度センサ１４によって検出された温度に基づいて温度の変化量が算出され、算出された温度の変化量が予め定める変化量を超えたか否かが判断される。
【００５１】
そして、ＣＰＵ１１１によって、ＲＡＭ１１３に記憶される描画情報が読み出され、読み出された描画情報を、コレステリックＬＣＤ１６を駆動状態にして表示させ、そして、コレステリックＬＣＤ１６を非駆動状態にして描画情報を保持させた後、ＣＰＵ１１１によって算出された温度の変化量が予め定める変化量を超えたと判断されたとき、コレステリックＬＣＤ１６に表示させた描画情報と同じ描画情報が、ＲＡＭ１１３から読み出され、読み出された描画情報がコレステリックＬＣＤ１６に表示される。
【００５２】
したがって、メモリ性を有するディスプレイ、たとえばコレステリックＬＣＤ１６の表示むらの発生を防止することができる。温度の変化量が所定の変化量を超え、表示むらが発生している可能性が高い場合のみ、描画情報の再表示を行うので、不要な書き換えをなくすことができ、電池寿命を最大限まで延ばすことができる。したがって、表示装置の使用者は、表示むらの有無を点検する必要がなくなり、さらに、電池の交換回数を減らすことができるので、使用者の負担を軽減することができる。
【００５３】
図５は、本発明の実施の他の形態である電子棚札システム２０の構成を示すブロック図である。本発明に係る表示方法は、電子棚札システム２０で実行される。表示システムである電子棚札システム２０は、電子棚札サーバ２１、ベースステーション２２、トランシーバ２３および電子棚札１を含んで構成される。電子棚札１は、図１に示した電子棚札１の構成要素に対応する構成要素から構成され、同じ構成要素については、重複を避けるために詳細な説明は省略する。
【００５４】
管理装置である電子棚札サーバ２１は、各電子棚札１に表示させる描画情報を記憶し、管理するサーバであり、たとえばコンピュータによって構成される。ベースステーション２２は、電子棚札サーバ２１から指示される描画情報を、その描画情報を送信すべき電子棚札１を管轄するトランシーバ２３に送る。トランシーバ２３は、管轄する領域内に配置される複数の電子棚札１に対して、ベースステーション２２から指示される描画情報を送信する。
【００５５】
電子棚札１のＣＰＵ１１１は、トランシーバ２３から描画情報を受信すると、受信した描画情報をＲＡＭ１１３に記憶することなく、受信した描画情報をコレステリックＬＣＤ１６に表示する。ＣＰＵ１１１は、ＡＤＣ１１５を介して温度センサ１４から知らされる温度を監視し、温度の変化量が予め定める変化量を超えると、表示むらが発生している可能性があるので、電子棚札サーバ２１から描画情報を取得し、取得した描画情報をコレステリックＬＣＤ１６に再表示する。
【００５６】
上述した実施の形態では、表示装置として電子棚札を例にして説明したが、表示装置は、電子棚札に限定されるものではなく、たとえば駅の改札あるいはバスの停留所などに設置され、時刻表および広告などの情報を表示するメモリ性を有する表示装置、工場内の製造工程を移動する物を識別するために物ごとに付与されるメモリ性を有する表示装置、工場内の倉庫に保管される物ごと、あるいは図書館などに保管される本ごとに設けられるメモリ性を有する表示装置など、温度が変化する環境に設置されるメモリ性を有する表示装置に適用することが可能である。
【００５７】
このように、描画情報を記憶する電子棚札サーバ２１と、駆動状態で表示した表示情報を非駆動状態で保持可能なコレステリックＬＣＤ１６を有し、電子棚札サーバ２１から描画情報を取得し、取得した描画情報をコレステリックＬＣＤ１６に表示する電子棚札１とを含む電子棚札システム２０で、描画情報をコレステリックＬＣＤ１６に表示するにあたって、電子棚札１では、温度センサ１４によって、コレステリックＬＣＤ１６の温度が検出され、ＣＰＵ１１１によって、温度センサ１４によって検出された温度に基づいて温度の変化量が算出され、算出された温度の変化量が予め定める変化量を超えたか否かが判断される。
【００５８】
そして、ＣＰＵ１１１によって、ＲＡＭ１１３に記憶される描画情報が読み出され、読み出された描画情報を、コレステリックＬＣＤ１６を駆動状態にして表示させ、そして、コレステリックＬＣＤ１６を非駆動状態にして描画情報を保持させた後、ＣＰＵ１１１によって算出された温度の変化量が予め定める変化量を超えたと判断されたとき、コレステリックＬＣＤ１６に表示させた描画情報と同じ描画情報が、電子棚札サーバ２１から取得され、取得された描画情報がコレステリックＬＣＤ１６に表示される。
【００５９】
したがって、メモリ性を有するディスプレイ、たとえばコレステリックＬＣＤ１６の表示むらの発生を防止することができる。温度の変化量が所定の変化量を超え、表示むらが発生している可能性が高い場合のみ、描画情報の再表示を行うので、不要な書き換えをなくすことができ、電池寿命を最大限まで延ばすことができる。したがって、表示装置の使用者は、表示むらの有無を点検する必要がなくなり、さらに、電池の交換回数を減らすことができるので、使用者の負担を軽減することができる。さらに、電子棚札１に描画情報を記憶するためのメモリを搭載する必要がないので、電子棚札１を小型化し、かつ製品コストを低減することができる。
【図面の簡単な説明】
【００６０】
【図１】本発明の実施の一形態である電子棚札１の構成を示すブロック図である。
【図２】コレステリックＬＣＤ１６に表示された描画情報の一例を示す図である。
【図３】再表示する条件となる温度の変化量の例を示す図である。
【図４】ＣＰＵ１１１が実行する表示処理を示すフローチャートである。
【図５】本発明の実施の他の形態である電子棚札システム２０の構成を示すブロック図である。
【符号の説明】
【００６１】
１  電子棚札
１１  コントロールＩＣ
１２  バッテリ
１３  ＬＣＤ電源回路
１４  温度センサ
１５  アンテナ
１６  コレステリック液晶
１７  ＣＯＭＭＯＮドライバ
１８  ＳＥＧＭＥＮＴドライバ
２０  電子棚札システム
２１  電子棚札サーバ
２２  ベースステーション
２３  トランシーバ
１１１  ＣＰＵ
１１２  ＲＯＭ
１１３  ＲＡＭ
１１４  ＲＴＣ
１１５  ＡＤＣ
１１６  ＲＦ
１１７  Ｉ／Ｏ
【図１】
0005070123.tif 000002
【図２】
0005070123.tif 000003
【図３】
0005070123.tif 000004
【図４】
0005070123.tif 000005
【図５】
0005070123.tif 000006